(57)【要約】【課題】表示画面内における拡大表示枠の位置を移動させるモードであるか否かをユーザが容易に判別できるように拡大表示を行うことができる電子機器を提供する。【解決手段】本発明の一実施形態に係る携帯電話機１０は、操作内容取得部３１、拡大表示制御部３４、枠変更指示部３５、枠移動指示部３６などを備える。操作内容取得部３１は、タッチセンサ２６の出力を受け、表示画面に対する入力操作の内容を取得する。拡大表示制御部３４は、表示画面に拡大表示枠を表示するとともに表示画面に表示された表示画像のうち拡大表示枠により囲まれた画像の一部を拡大して拡大表示枠内に表示させる。枠変更指示部３５は、拡大表示制御部３４に対し拡大表示枠の表示方法を枠移動モード用の表示方法に変更するよう指示する。枠移動指示部３６は、枠移動モード時にユーザによる接触位置が移動すると、拡大表示制御部３４に対しこの移動に応じて拡大表示枠を移動させるよう指示する。【選択図】  図４
2011170431.tif 000002
【特許請求の範囲】
【請求項１】
表示画面に拡大表示枠を表示するとともに、前記表示画面に表示された表示画像のうち前記拡大表示枠により囲まれた画像の一部を拡大して前記拡大表示枠内に表示させる拡大表示制御部と、
前記表示画面への入力を受け付ける入力部の出力を受け、前記表示画面に対する入力操作の内容を取得する操作内容取得部と、
前記操作内容取得部によりユーザが前記拡大表示枠の一部に対する所定の入力操作の内容が取得されると、前記拡大表示制御部に対し前記拡大表示枠の表示方法を拡大表示枠移動モード用の表示方法に変更するよう指示する枠変更指示部と、
前記拡大表示枠の表示方法が前記拡大表示枠移動モード用の表示方法に変更され、前記操作内容取得部により前記ユーザによる接触位置がスライドされて移動した旨の情報が取得されると、前記拡大表示制御部に対しこの移動に応じて前記拡大表示枠を移動させるよう指示する枠移動指示部と、
を備えたことを特徴とする電子機器。
【請求項２】
前記枠変更指示部は、
前記操作内容取得部によりユーザが前記拡大表示枠の一部に所定の時間以上接触した旨の情報が取得されると、前記拡大表示制御部に対し前記拡大表示枠の表示方法を拡大表示枠移動モード用の表示方法に変更するよう指示する、
請求項１記載の電子機器。
【請求項３】
前記拡大表示枠の表示方法が変更されたか否かによらず、前記操作内容取得部によりユーザが前記拡大表示枠内の画像に接触した旨の情報が取得されると、この接触位置の情報をアプリケーションプログラムに与える操作内容通知部、
をさらに備えた請求項１または２に記載の電子機器。
【請求項４】
前記拡大表示枠の表示方法が変更されたか否かによらず、前記操作内容取得部によりユーザが前記拡大表示枠内の画像に接触した旨の情報が取得されると、この接触位置の情報をアプリケーションプログラムに与える操作内容通知部、
をさらに備え、
前記操作内容取得部は、
前記拡大表示枠の一部および前記拡大表示枠内の画像に対してユーザが同時に接触した旨の情報を取得すると、この接触が前記所定の時間以上継続された場合はその旨の情報を前記枠変更指示部に与える一方、この接触が前記所定の時間内に終了した場合は前記接触が前記所定の時間内に終了した旨の情報を前記入力操作の内容として前記操作内容通知部に与えるとともに前記同時に接触された前記拡大表示枠内の画像の接触位置の情報を前記操作内容通知部に与え、
前記枠変更指示部は、
前記操作内容取得部からユーザが前記拡大表示枠の一部に所定の時間以上接触した旨の情報を受けると、前記拡大表示制御部に対し前記拡大表示枠の表示方法を拡大表示枠移動モード用の表示方法に変更するよう指示し、
前記操作内容通知部は、
前記操作内容取得部から前記入力操作の内容および前記同時に接触された前記拡大表示枠内の画像の接触位置の情報を受けると、これらの情報をアプリケーションプログラムに与える、
請求項２記載の電子機器。
【請求項５】
前記拡大表示制御部は、
前記拡大表示枠移動モード用の表示方法において前記拡大表示枠を太枠にて表示する、
請求項１ないし４のいずれか１項に記載の電子機器。
【請求項６】
前記枠変更指示部は、
前記拡大表示枠の表示方法が前記拡大表示枠移動モード用の表示方法に変更されたのち、前記操作内容取得部により前記ユーザによる接触が終了した旨の情報が取得されると、前記拡大表示制御部に対し前記拡大表示枠の表示方法を通常モード用の表示方法に変更するよう指示する、
請求項１ないし５のいずれか１項に記載の電子機器。
【請求項７】
前記表示画面を有する表示部と、前記表示画面への入力を受け付けるタッチセンサと、を備えた表示入力部、
をさらに備えた請求項１ないし６のいずれか１項に記載の電子機器。
【発明の詳細な説明】
【技術分野】
【０００１】
本発明は、画像を拡大表示する電子機器に関する。
【背景技術】
【０００２】
最近、携帯電話機やＰＤＡ（Personal Digital Assistant）などの携帯型の電子機器は、より小型のものが開発されてきている。たとえば、一部の携帯電話機は、タッチパネルを採用して入力装置および表示装置を一体化することにより、携帯電話機全体のサイズを小型化している。
【０００３】
これらの小型の電子機器は、画面の大きさが制限されているため、一般的なデスクトップパソコンと比較して文字が小さく表示されてしまうことが多い。このため、表示装置に表示された画像の一部を拡大表示する種々の技術が開発されている（たとえば特許文献１参照）。
【０００４】
たとえば特開平８−５０６６３号公報（特許文献１）に開示された自動券売機は、表示画面の中の一部分を囲む窓（拡大表示枠）を形成する窓形成手段と、窓を移動させる移動手段と、窓の表示内容を拡大して表示させる表示制御手段と、を有する。この自動発券機は、窓部の周囲に表示された複数の移動ボタンのいずれか一つの移動ボタンがタッチされたときにタッチされたボタンで特定される方向に表示画面の表示画像を移動させることができる。また、この自動発券機は、ユーザが窓部の周辺部分（枠部分）をタッチしながら窓部の外側へ移動させると、この移動に追従して窓部が移動することができるようになっている。このため、この自動券売機によれば、ユーザは拡大表示枠内の表示内容を容易に移動させることができる。
【先行技術文献】
【特許文献】
【０００５】
【特許文献１】特開平８−５０６６３号公報
【発明の概要】
【発明が解決しようとする課題】
【０００６】
しかし、拡大表示枠のドラッグ操作に対して拡大表示枠の移動が単に割り当てられているだけでは、表示画面が小さいことやユーザの操作習熟度の未熟さが原因となり、電子機器がユーザが意図しない動作をしてしまう場合がある。
【０００７】
たとえば、ユーザが拡大表示枠を移動させようと拡大表示枠に対する接触を意図したにもかかわらず、実際には表示画面内の選択対象画像（たとえばウェブブラウザが生成するリンク画像など）に対して接触してしまう場合、従来の技術を適用した電子機器はユーザが意図しない選択動作を実行してしまう。
【０００８】
本発明は、上述した事情を考慮してなされたもので、表示画面内における拡大表示枠の位置を移動させるモードであるか否かをユーザが容易に判別できるように拡大表示を行うことができる電子機器を提供することを目的とする。
【課題を解決するための手段】
【０００９】
本発明に係る電子機器は、表示画面に拡大表示枠を表示するとともに、前記表示画面に表示された表示画像のうち前記拡大表示枠により囲まれた画像の一部を拡大して前記拡大表示枠内に表示させる拡大表示制御部と、前記表示画面への入力を受け付ける入力部の出力を受け、前記表示画面に対する入力操作の内容を取得する操作内容取得部と、前記操作内容取得部によりユーザが前記拡大表示枠の一部に対する所定の入力操作の内容が取得されると、前記拡大表示制御部に対し前記拡大表示枠の表示方法を拡大表示枠移動モード用の表示方法に変更するよう指示する枠変更指示部と、前記拡大表示枠の表示方法が前記拡大表示枠移動モード用の表示方法に変更され、前記操作内容取得部により前記ユーザによる接触位置がスライドされて移動した旨の情報が取得されると、前記拡大表示制御部に対しこの移動に応じて前記拡大表示枠を移動させるよう指示する枠移動指示部と、を備えたことを特徴とするものである。
【発明の効果】
【００１０】
本発明に係る電子機器によれば、表示画面内における拡大表示枠の位置を移動させるモードであるか否かをユーザが容易に判別できるように拡大表示を行うことができる。
【図面の簡単な説明】
【００１１】
【図１】本発明に係る電子機器の一実施形態を示す概略的な斜視図。
【図２】携帯電話機の内部構成例を概略的に示すブロック図。
【図３】表示部に拡大表示枠が表示される様子の一例を示す説明図。
【図４】図２に示す主制御部のＣＰＵによる機能実現部の構成例を示す概略的なブロック図。
【図５】通常モードから拡大表示枠移動モードへの移行に応じて拡大表示枠が太く変更される様子を示す説明図。
【図６】拡大表示枠移動モードにおいてユーザにより所望の方向へ拡大表示枠が移動される様子を示す説明図。
【図７】図１に示す携帯電話機の主制御部により、表示画面内における拡大表示枠の位置を移動させるモードであるか否かをユーザが容易に判別することができるよう拡大表示を行う際の手順を示すフローチャート。
【図８】図７のステップＳ５で主制御部により実行される枠移動モードにおける拡大表示枠の移動処理の手順を示すサブルーチンフローチャート。
【発明を実施するための形態】
【００１２】
本発明に係る電子機器の実施の形態について、添付図面を参照して説明する。
【００１３】
図１は、本発明に係る電子機器の一実施形態を示す概略的な斜視図である。なお、本発明は、画像を拡大表示する機能を有する種々の電子機器に適用することができる。本実施形態では、本発明に係る電子機器として、携帯電話機を用いる場合の一例について示す。
【００１４】
図１に示すように、携帯電話機１０の正面の表面上には、表示入力部としてのタッチパネル１１、レシーバ１２、マイクロフォン１３およびタッチキー１４が設けられる。また、携帯電話機１０の側面の一部には、電源ボタン１５が設けられる。
【００１５】
図２は、携帯電話機１０の内部構成例を概略的に示すブロック図である。図２に示すように、携帯電話機１０は、さらにアンテナ２１、送受信部２２、記憶部２３および主制御部２４を少なくとも有する。
【００１６】
表示入力部としてのタッチパネル１１は、表示部２５と、表示部２５の近傍に設けられた入力部としてのタッチセンサ２６とを有する。
【００１７】
表示部２５は、たとえば液晶ディスプレイや有機ＥＬ（Electro Luminescence）ディスプレイなどの一般的な表示出力装置により構成される。
【００１８】
図３は、表示部２５に拡大表示枠４１が表示される様子の一例を示す説明図である。図３には、ウェブブラウザによりウェブページの一部が表示され、表示された画像のうち拡大表示枠４１により囲まれた画像の一部が拡大表示枠４１内に拡大して表示される場合の例について示した。
【００１９】
図３（ａ）はウェブブラウザにより表示部２５にウェブページの一部が表示された様子の一例を示す説明図であり、（ｂ）は拡大表示枠４１が設けられる位置を仮想的に示す説明図であり、（ｃ）は表示されたウェブページのうち拡大表示枠４１により囲まれた画像の一部が拡大表示枠４１内に拡大して表示された様子の一例を示す説明図である。
【００２０】
なお、図３（ｂ）はあくまでも仮想的な図であり、ユーザには提示されない。また、図３および本実施形態では、拡大表示枠４１の初期位置が画面中央である場合の例を示すが、拡大表示枠４１の初期位置は画面中央には限られない。また、拡大表示枠４１は必ずしもメニューから呼び出さずともよく、たとえば表示画面の所要の位置がダブルタップされるとこの位置を中心として拡大表示枠４１を表示するようにしてもよい。
【００２１】
表示部２５は、主制御部２４に制御されて、ウェブブラウザや文書作成プログラムなどのアプリケーションプログラムにより生成される各種画像や、これらの画像の一部を拡大して表示するための拡大表示枠４１をはじめ、携帯電話機１０を操作するための情報や携帯電話機１０を操作するための複数のキー（ソフトキー）などを表示する。
【００２２】
表示入力部１１の入力部としてのタッチセンサ２６は、ユーザによるタッチセンサ２６上の指示位置の情報を携帯電話機１０の主制御部２４に与える。たとえば、ユーザが表示部２５に表示された画面上の拡大表示枠４１の一部を長押しする操作を意図した場合、ユーザは画面上の拡大表示枠４１の一部に接触しようとする。タッチセンサ２６は、この接触動作から得た情報をユーザの指示位置の情報として取得し、携帯電話機１０の主制御部２４に与える。たとえば抵抗膜方式の感圧式パネルにより構成される場合、タッチセンサ２６は、押圧された位置の情報をユーザの指示位置の情報として取得し、携帯電話機１０の主制御部２４に与える。
【００２３】
レシーバ１２は、受話音声をはじめとした各種の情報に対応した音声を出力する。また、マイクロフォン１３は、ユーザによって入力された音声をデジタル音声信号に変換する。
【００２４】
タッチキー１４は、たとえば静電容量方式のタッチセンサにより構成され、キーに対するユーザの接触操作に応じた信号を出力する。
【００２５】
電源ボタン１５は、ユーザにより押下されるとこの押下に応じた信号を主制御部２４に与える。主制御部２４は、電源ボタン１５が押下されると、押下されてから開放されるまでの時間に応じて携帯電話機１０を制御することができる。たとえば、主制御部２４は、電源ボタン１５が短押しされるといわゆるクリア機能を実現し、長押しされると携帯電話機１０全体の電源のＯＮまたはＯＦＦを行い、超長押しされると携帯電話機１０をリセットする。
【００２６】
ここで、ユーザの電源ボタン１５に対する各操作について、短押しとはボタンが押下されてから第１の所定の時間（たとえば１秒）未満で開放される動作をいい、長押しとはボタンが第１の所定の時間以上押下され続けてから開放される動作をいい、超長押しとはボタンが第１の所定の時間より長い第２の所定の時間（たとえば１０秒）以上押下され続ける動作をいうものとする。また、クリア機能は、一般的な携帯電話機１０に広く備えられた機能であり、たとえば文字入力の受け付け中であればキャレット位置の文字を一文字消去することや、待ち受け画面に戻ることや、アプリケーションを終了することなどの動作を実行する機能をいう。なお、電源ボタン１５は、ユーザが容易に操作できる位置に設置すればよく、この位置は携帯電話機１０の側面に限られない。
【００２７】
アンテナ２１は、図示しない無線基地局との間で通信電波の送受信を行う。送受信部２２は、通信電波に内在する無線信号を送受信する無線回路であり、主制御部２４から出力される通信データを変調し、アンテナ２１を介して送信する。また、送受信部２２は、アンテナ２１を介して受信した通信データを復調し、主制御部２４へ出力する。通信データには、少なくとも通話を行うための音声データおよびインターネット通信を行うためのデータが含まれる。
【００２８】
記憶部２３は、データの書き換えが可能な不揮発性のメモリであり、たとえば電子メールデータや音楽データなどの各種データを記憶している。
【００２９】
主制御部２４は、ＣＰＵ、ＲＡＭ、ＲＯＭなどにより構成され、ＲＯＭ内に記憶されたプログラムに従って、携帯電話機１０の処理動作を制御する。ＣＰＵは、ＲＯＭ内に記憶された拡大表示プログラムおよびプログラムの実行のために必要なデータをＲＡＭへロードし、拡大表示プログラムに従って、表示画面内における拡大表示枠４１の位置を移動させるモードであるか否かをユーザが容易に判別することができるよう拡大表示を行う。
【００３０】
ＲＡＭは、ＣＰＵが実行するプログラムおよびデータを一時的に格納するワークエリアを提供する。
【００３１】
ＲＯＭは、携帯電話機１０の起動プログラム、拡大表示プログラムや、これらのプログラムを実行するために必要な各種データを記憶する。
【００３２】
なお、ＲＯＭは、磁気的もしくは光学的記録媒体または半導体メモリなどの、ＣＰＵにより読み取り可能な記録媒体を含んだ構成を有し、ＲＯＭ内のプログラムおよびデータの一部または全部は電子ネットワークを介してダウンロードされるように構成してもよい。
【００３３】
図４は、図２に示す主制御部２４のＣＰＵによる機能実現部の構成例を示す概略的なブロック図である。なお、この機能実現部は、ＣＰＵを用いることなく回路などのハードウエアロジックによって構成してもよい。
【００３４】
ＣＰＵは、拡大表示プログラムによって、少なくとも操作内容取得部３１、操作内容通知部３２、拡大画像生成部３３、拡大表示制御部３４、枠変更指示部３５および枠移動指示部３６として機能する。この各部３１〜３６は、ＲＡＭの所要のワークエリアを、データの一時的な格納場所として利用する。
【００３５】
操作内容取得部３１は、タッチセンサ２６の出力を受け、表示画面に対する入力操作の内容を取得する。タッチセンサ２６の出力には、ユーザにより表示画面上の接触位置の情報が少なくとも含まれる。操作内容取得部３１は、タッチセンサ２６から受けたこの接触位置の情報およびこの情報を受けた時間の情報にもとづき、表示画面に対してユーザが入力を意図した操作がプレス、リリース、プレスアンドホールド、スライド、シングルタップ、ダブルタップなどのいずれの入力操作であるかを判別する。
【００３６】
ここで、ユーザの表示画面に対する各入力操作について、プレスとは非接触状態から接触状態への移行動作をいい、リリースとは接触状態から非接触状態への移行動作をいい、プレスアンドホールドとはプレス後所定の時間（たとえば１秒）以上接触状態を維持するいわゆる長押し動作をいい、スライドとはプレス後接触状態を維持したまま接触位置を移動させるいわゆるドラッグ動作をいうものとする。また、シングルタップとはプレス後所定の時間（たとえば１秒）未満でリリースするいわゆるクリック動作をいい、ダブルタップとはシングルタップ後所定の時間（たとえば０．５秒）以内に再度シングルタップするいわゆるダブルクリック動作をいうものとする。
【００３７】
操作内容通知部３２は、操作内容取得部３１により取得された入力操作の内容をアプリケーションプログラムに与える。
【００３８】
拡大画像生成部３３は、表示画面に表示された表示画像のうち表示画面内の一部に設けられた拡大表示枠４１により囲まれた画像の一部（拡大対象画像）の拡大画像を生成する。なお、この拡大画像生成部３３は、アプリケーションプログラムによる機能の一部であってもよい。
【００３９】
拡大表示制御部３４は、表示画面に拡大表示枠４１を表示するとともに、拡大画像生成部３３から拡大画像を受け、この拡大画像（表示画面に表示された表示画像のうち拡大表示枠４１により囲まれた画像の一部を拡大した画像）を拡大表示枠４１内に表示させる。
【００４０】
たとえば、拡大表示制御部３４は、図３に示すように、ユーザによりタッチパネル１１を介して拡大表示を行うべき旨の指示を受けると、表示部２５の所定の位置に拡大表示枠４１を表示して拡大画像をこの拡大表示枠４１内に表示させる。
【００４１】
図５は、通常モードから拡大表示枠移動モードへの移行に応じて拡大表示枠４１が太く変更される様子を示す説明図である。なお、以下の説明において、通常モードとは表示画面内における拡大表示枠４１の位置が固定されるモードをいい、拡大表示枠移動モード（以下、枠移動モードという）とは拡大移動枠に対するプレスアンドホールド後のスライド（ドラッグ）操作により表示画面内における拡大表示枠４１の位置が移動可能であるモードをいうものとする。
【００４２】
枠変更指示部３５は、操作内容取得部３１によりユーザが拡大表示枠４１の一部に対していわゆるプレスアンドホールドの操作を行った（所定の時間以上接触した）旨の情報が取得されると、拡大表示制御部３４に対し拡大表示枠４１の表示方法を枠移動モード用の表示方法に変更するよう指示する。枠移動モード用の拡大表示枠４１の表示方法としては、たとえば、枠を太くしたり、枠の色を変更したり、枠を発光させたりなどして枠を強調表示することなどが考えられる。また、枠移動モードであることをユーザに通知するため、枠内の背景色を変更したり、枠移動モードである旨の情報を表示画面に表示させたりしてもよい。以下の説明では、拡大表示枠移動モード用の表示方法において拡大表示枠４１が太枠にて表示される場合の例について示す。
【００４３】
枠移動モードへの移行時に拡大表示枠４１を枠移動モード用に変更することにより、ユーザは容易に現在枠移動モードであることを容易に認識することができる。
【００４４】
なお、本実施形態においては拡大表示枠４１の一部に対するプレスアンドホールドを契機に枠移動モードへと移行する場合の例について説明するが、この契機は拡大表示枠４１の一部に対するプレス、シングルタップ等の他の入力操作であってもよい。
【００４５】
図６は、拡大表示枠移動モードにおいてユーザにより所望の方向へ拡大表示枠４１が移動される様子を示す説明図である。
【００４６】
本実施形態に係る携帯電話機１０は、拡大表示枠４１のどの箇所に対するプレスアンドホールドであっても枠移動モードへ移行し、その後のスライド操作により拡大表示枠４１を移動させることができる。このため、ユーザは拡大表示枠４１上の任意の箇所をプレスしつつスライドさせることで拡大表示枠４１を所望の位置に移動させることができる。したがって、拡大表示枠４１内の中心部分のみが枠移動の対象となる場合に比べ、指などによって隠れてしまう場所をユーザの所望の箇所に限定することができる。
【００４７】
たとえば、拡大表示枠４１の上方の画像を拡大表示したい場合は、ユーザは、図６（ａ）に示すように、拡大表示枠４１の下方に対するプレスアンドホールド後に上方にスライドさせるとよい。拡大表示枠４１の下方に触れつつ拡大表示枠４１を上方に移動させることにより、所望の拡大画像を指で隠してしまう不具合を防ぐことができる。このため、本実施形態に係る携帯電話機１０によれば、ユーザは、容易かつ直感的に拡大表示枠４１を移動することができる。
【００４８】
また、拡大表示枠４１の下方の画像を拡大表示したい場合は、図６（ｂ）に示すように、拡大表示枠４１の上方に対するプレスアンドホールド後に下方にスライドさせるとよい。同様に、拡大表示枠４１の右方の画像を拡大表示したい場合は図６（ｃ）に示すように拡大表示枠４１の左方に対するプレスアンドホールド後に右方にスライドさせ、拡大表示枠４１の左方の画像を拡大表示したい場合は図６（ｄ）に示すように拡大表示枠４１の右方に対するプレスアンドホールド後に左方にスライドさせるとよい。
【００４９】
枠移動指示部３６は、拡大表示枠４１の表示方法が枠移動モード用の表示方法に変更され、操作内容取得部３１によりユーザがプレスアンドホールドの操作後スライドの操作を行った旨の情報が取得されると、図６に示すように、拡大表示制御部３４に対しこのスライド操作に応じて拡大表示枠４１を移動させるよう指示する。
【００５０】
次に、本実施形態に係る携帯電話機１０の動作の一例について説明する。
【００５１】
図７は、図１に示す携帯電話機１０の主制御部２４により、表示画面内における拡大表示枠４１の位置を移動させるモードであるか否かをユーザが容易に判別することができるよう拡大表示を行う際の手順を示すフローチャートである。図７において、Ｓに数字を付した符号は、フローチャートの各ステップを示す。
【００５２】
この手順は、ユーザによりタッチパネル１１を介してメニューから選択されることにより拡大表示を行うべき旨の指示を受け、図３（ｂ）に示すように表示部２５の所定の位置に拡大表示枠４１が表示され、拡大画像がこの拡大表示枠４１内に表示されてスタートとなる。
【００５３】
なお、以下の説明では、拡大表示枠４１に対するプレスアンドホールドの操作により枠移動モードへ移行後、このリリース操作があると通常モードへ移行する場合の例について示す。リリース操作があっても枠移動モードを維持する場合は、たとえば拡大表示枠４１に対する再度のプレスアンドホールドやリリース後の所定の時間の経過や電源ボタン１５の短押しなどをもって通常モードへ移行すればよい。
【００５４】
まず、ステップＳ１において、操作内容取得部３１は、ユーザによる表示画面に対するプレス操作を受け付けたか否かを判定する。プレス操作を受け付けた場合はステップＳ２に進む。一方、プレス操作を受け付けない場合は引き続きプレス操作を監視する。
【００５５】
次に、ステップＳ２において、操作内容取得部３１は、プレスされた位置が拡大表示枠４１上であるか否かを判定する。拡大表示枠４１上である場合は、ステップＳ３に進む。一方、拡大表示枠４１上でない場合はステップＳ９に進む。
【００５６】
なお、プレスされた位置が拡大表示枠４１の上である場合とは、操作内容取得部３１が取得したプレス位置の座標に拡大表示枠４１の座標が含まれている場合をいうものとする。たとえば、プレスされた位置が拡大表示枠４１の上である場合には、拡大表示枠４１そのものの画像および拡大表示枠４１の内部の画像が同時にプレスされた場合が含まれる。このような場合として、ユーザが拡大表示枠４１の内部の拡大表示画像上のリンク画像をタップしようとし、ユーザの指がリンク画像および拡大表示枠４１の両方に触れた場合などが考えられる。
【００５７】
次に、ステップＳ３において、操作内容取得部３１は、プレス後のホールド時間が所定の時間（たとえば１秒など）経過したか否かを判定する。所定の時間経過した場合は、操作内容取得部３１はその旨の情報を枠変更指示部に与え、ステップＳ４に進む。一方、所定の時間経過していない場合はステップＳ６に進む。
【００５８】
次に、ステップＳ４において、枠変更指示部３５は、拡大表示制御部３４に対し拡大表示枠４１を太くする（拡大表示枠４１の表示方法を枠移動モード用の表示方法に変更する）よう指示する。この結果、拡大表示枠４１は太い枠（枠移動モード用の表示）となる。
【００５９】
次に、ステップＳ５において、主制御部２４は、枠移動モードへ移行し拡大表示枠４１の移動指示を受け付け、一連の手順は終了となる。
【００６０】
一方、ステップＳ３でプレス後のホールド時間が所定の時間経過していないと判定されると、ステップＳ６において操作内容取得部３１は、リリース操作があったか否かを判定する。リリースされた場合、すなわちシングルタップ操作があった場合は、ステップＳ７に進む。一方、リリースされていない場合、すなわちプレス後のホールド操作が続けられている場合は、ステップＳ３に戻る。
【００６１】
次に、ステップＳ７において、操作内容取得部３１は、入力操作位置に拡大表示枠４１の内部の拡大表示画像が含まれていたか否かを判定する。拡大表示画像が含まれていた場合は、操作内容取得部３１は入力操作（シングルタップ）された位置の情報を操作内容通知部３２に与え、ステップＳ８に進む。一方、拡大表示画像が含まれていない場合は、通常モードのまま一連の手順は終了となる。
【００６２】
次に、ステップＳ８において、操作内容通知部３２は、表示画面の表示画像を生成しているアプリケーションプログラムに対し、拡大表示枠４１内のシングルタップ操作が行われた位置の情報を与える。この結果、アプリケーションプログラムは、入力操作が行われた位置に応じた動作を実行する。
【００６３】
たとえば、図３（ｂ）に示すようにアプリケーションプログラムがウェブブラウザの場合、拡大表示枠４１内のリンク画像に対するシングルタップ操作を受け付けると、操作内容通知部３２はウェブブラウザに対してその旨の情報を与える。この情報を受け、ウェブブラウザはリンク先のウェブページを取得し表示画面に表示させる。
【００６４】
他方、ステップＳ２でプレスされた位置が拡大表示枠４１上でないと判定されると、ステップＳ９において、操作内容取得部３１は、プレスされた位置が拡大表示枠４１の内部であるか否かを判定する。拡大表示枠４１の内部である場合はステップＳ８に進む。一方、拡大表示枠４１の内部でない場合、すなわち拡大表示枠４１の外部である場合は、ステップＳ９に進む。
【００６５】
次に、ステップＳ１０において、操作内容通知部３２は、ステップＳ８と同様に、表示画面の表示画像を生成しているアプリケーションプログラムに対し、拡大表示枠４１内の接触位置の情報を与える。この結果、アプリケーションプログラムは、接触位置に応じた動作を実行する。
【００６６】
一方、ステップＳ１１において、操作内容通知部３２は、表示画面の表示画像を生成しているアプリケーションプログラムに対し、拡大表示枠４１外の接触位置の情報を与える。この結果、アプリケーションプログラムは、接触位置に応じた動作を実行する。
【００６７】
以上の手順により、表示画面内における拡大表示枠４１の位置を移動させるモードであるか否かをユーザが容易に判別することができるよう拡大表示を行うことができる。
【００６８】
続いて、枠移動モードにおいて拡大表示枠４１の移動指示を受け付ける際の手順について説明する。
【００６９】
図８は、図７のステップＳ５で主制御部２４により実行される枠移動モードにおける拡大表示枠４１の移動処理の手順を示すサブルーチンフローチャートである。図８において、Ｓに数字を付した符号は、フローチャートの各ステップを示す。
【００７０】
ステップＳ５１において、操作内容取得部３１は、プレス位置の移動情報（スライド情報）を取得する。プレス位置の移動情報（スライド情報）は、時間変化するプレス位置の座標の情報により構成される。
【００７１】
次に、ステップＳ５２において、枠移動指示部３６は、図６に示すように、拡大表示制御部３４に対しプレス位置の移動（スライド）に応じて拡大表示枠４１を移動させるよう指示する。この結果、拡大表示枠４１はユーザのスライドに追従して移動することになる。
【００７２】
次に、ステップＳ５３において、拡大表示制御部３４は、拡大画像生成部３３から移動後の拡大表示枠４１に囲まれた画像の一部を拡大した画像を受け、この拡大画像を移動後の拡大表示枠４１内に表示させる。
【００７３】
次に、ステップＳ５４において、操作内容取得部３１は、リリース操作があったか否かを判定する。リリースされた場合はステップＳ５５に進む。一方、リリースされていない場合、すなわちホールド操作またはスライド操作が続けられている場合は、ステップＳ５１に戻る。
【００７４】
次に、ステップＳ５５において、枠変更指示部３５は、拡大表示制御部３４に対し拡大表示枠４１を通常モード用の表示方法に変更するよう指示する。この結果、拡大表示枠４１は細い枠（枠移動モード用の表示）となる。
【００７５】
以上の手順により、枠移動モードにおいて拡大表示枠４１の移動指示を受け付けることができる。
【００７６】
本実施形態に係る携帯電話機１０によれば、枠移動モードへの移行指示があると拡大表示枠４１の表示方法を枠移動モード用の表示方法に変更する。このため、枠移動モードであるか否かをユーザが容易に判別することができる。また、拡大表示枠４１の表示時においても、拡大表示枠４１の内部に対する入力操作を受け付けた場合にはユーザが所望する動作を確実に実行することができる。
【００７７】
さらに、本実施形態に係る携帯電話機１０によれば、拡大表示枠４１のどの箇所に対するプレスアンドホールドであっても枠移動モードへ移行し、その後のスライド操作により拡大表示枠４１を移動させることができる。したがって、拡大表示枠４１内の中心部分のみが枠移動の対象となる場合に比べ、ユーザは拡大表示枠４１の移動中における自らの指による視界の妨げを防ぐことができるとともに、容易かつ直感的に拡大表示枠を移動させることができる。
【００７８】
なお、本発明は上記実施形態そのままに限定されるものではなく、実施段階ではその要旨を逸脱しない範囲で構成要素を変形して具体化できる。また、上記実施形態に開示されている複数の構成要素の適宜な組み合わせにより、種々の発明を形成できる。例えば、実施形態に示される全構成要素から幾つかの構成要素を削除してもよい。
【００７９】
たとえば、本発明は、本実施形態で説明した携帯電話機１０のほかにも、様々な電子機器に適用可能であり、特に、ＰＤＡ（Personal Digital Assistant）、携帯型ゲーム機、携帯型音楽再生機、携帯型動画再生機などの携帯型の情報処理装置に好適である。
【００８０】
また、本発明の実施形態では、フローチャートの各ステップは、記載された順序に沿って時系列的に行われる処理の例を示したが、必ずしも時系列的に処理されなくとも、並列的あるいは個別実行される処理をも含むものである。
【符号の説明】
【００８１】
１０  携帯電話機
１１  タッチパネル
１２  レシーバ
１３  マイクロフォン
１４  タッチキー
１５  電源ボタン
２１  アンテナ
２２  送受信部
２３  記憶部
２４  主制御部
２５  表示部
２６  タッチセンサ
３１  操作内容取得部
３２  操作内容通知部
３３  拡大画像生成部
３４  拡大表示制御部
３５  枠変更指示部
３６  枠移動指示部
４１  拡大表示枠
【図１】
2011170431.tif 000003
【図２】
2011170431.tif 000004
【図３】
2011170431.tif 000005
【図４】
2011170431.tif 000006
【図５】
2011170431.tif 000007
【図６】
2011170431.tif 000008
【図７】
2011170431.tif 000009
【図８】
2011170431.tif 000010